(57)【要約】【課題】集塵容器が嵌合搭載される容器搭載凹部を容易に掃除することができる電気掃除機を提供する。【解決手段】分割可能な上下ケース２１、２２を有し且つ上方に開放する容器搭載凹部６０が設けられた掃除機本体１１と、容器搭載凹部６０に着脱自在に嵌合搭載された集塵容器４０と、掃除機本体１１に内蔵され且つ集塵容器４０に吸込負圧を作用させる電動送風機２３とを備えた電気掃除機１０であって、容器搭載凹部６０を上ケース２１に設けると共に、容器載置面６１を平面形状に形成した。【選択図】　　　　図２
2004049801.tif 000002
【特許請求の範囲】
【請求項１】
分割可能な上下ケースを有し且つ上方に開放する容器搭載凹部が設けられた掃除機本体と、前記容器搭載凹部に着脱自在に嵌合搭載された集塵容器と、前記掃除機本体に内蔵され且つ前記集塵容器に吸込負圧を作用させる電動送風機とを備えた電気掃除機であって、
前記容器搭載凹部は、前記上ケースに設けられると共に、容器載置面が平面形状に形成されていることを特徴とする電気掃除機。
【請求項２】
請求項１に記載の電気掃除機において、前記下ケースの下面には上方に突出する膨出部が形成され、該膨出部によって前記膨出部の内側には下方に開放する旋回輪配設室が形成され、該旋回輪配設室には旋回輪の上部が水平方向回動自在に取り付けられ、
前記容器搭載凹部は前記膨出部の上方に位置させられると共に、前記集塵容器は底蓋によって開閉自在にされていることを特徴とする電気掃除機。
【請求項３】
請求項１又は２に記載の電気掃除機において、前記集塵容器の周面には把持部が形成され、前記容器搭載凹部の周壁には、前記容器載置面にまで達すると共に、前記集塵容器を搭載した際に前記把持部が嵌合する切欠部が形成されたことを特徴とする電気掃除機。
【請求項４】
分割可能な上下ケースを有し且つ上方に開放する容器搭載凹部が下部に設けられた掃除機本体と、前記容器搭載凹部に着脱自在に嵌合搭載された集塵容器と、前記掃除機本体に内蔵され且つ前記集塵容器に吸込負圧を作用させる電動送風機とを備えた電気掃除機であって、
前記容器搭載凹部は、マイナスイオンを発生させるイオン発生シートで覆われていることを特徴とする電気掃除機。
【発明の詳細な説明】
【０００１】
【発明の属する技術分野】
この発明は、掃除機本体に集塵容器が着脱自在に嵌合搭載された電気掃除機に関するものである。
【０００２】
【従来の技術】
従来、図６（ａ）に示すような電気掃除機１が知られている。
【０００３】
この電気掃除機１は、掃除機本体２を備えている。この掃除機本体２の前部には集塵容器４が着脱自在に嵌合搭載される容器搭載凹部３が設けられ、掃除機本体２の後部には集塵容器４に吸込負圧を作用させる電動送風機５が内蔵されている。また、容器搭載凹部３の容器載置面には、上方に突出する膨出部６が形成されている。
【０００４】
そして、図６（ｂ）に示すように、この膨出部６によって膨出部６の内側（下側）には、下方に開放した旋回輪配設室７が形成されている。さらに、この旋回輪配設室７には旋回輪８が設けられている。また、膨出部６の中心には、回転軸８ａを取り付ける取付部９が下方に突出して形成されている。この回転軸８ａにより、旋回輪８が水平方向回動自在に保持されている。
【０００５】
【発明が解決しようとする課題】
ところで、このような電気掃除機１では、容器搭載凹部３に付着した塵埃を掃除するには、集塵容器４を外した後に、布等でこの容器搭載凹部３を払拭していた。
【０００６】
しかしながら、膨出部６によって容器搭載凹部３の容器載置面には図示しない周壁と膨出部６の周縁部との間に環状の溝ができており、この溝の内側や膨出部６の中心に形成された取付部９の内側に溜まった塵埃は拭き取りにくくなっていた。特に、膨出部６と周壁との間が狭い場合では、塵埃を十分に拭き取ることができず、容器搭載凹部３上に塵埃が蓄積してしまうという問題が生じていた。
【０００７】
この発明は、上記問題に鑑みてなされたもので、集塵容器が嵌合搭載される容器搭載凹部を容易に掃除することができる電気掃除機を提供することを目的としている。
【０００８】
【課題を解決するための手段】
この発明にかかる電気掃除機は、上記課題を解決するために、分割可能な上下ケースを有し且つ上方に開放する容器搭載凹部が設けられた掃除機本体と、容器搭載凹部に着脱自在に嵌合搭載された集塵容器と、掃除機本体に内蔵され且つ集塵容器に吸込負圧を作用させる電動送風機とを備え、容器搭載凹部を上ケースに設けると共に、容器搭載凹部の容器載置面を平面形状に形成したことを特徴としている。
【０００９】
この発明によれば、上ケースに形成された容器搭載凹部の容器載置面が平面形状であるので、容器搭載凹部の容器載置面に凹凸がなくなる。そのため、この容器搭載凹部に付着した塵埃を布等で容易に払拭することができ、容器搭載凹部に付着した塵埃を容易に除去することができる。
【００１０】
【発明の実施の形態】
以下、この発明にかかる電気掃除機の実施の形態を図面に基づいて説明する。
【００１１】
図１において、１０は電気掃除機であり、掃除機本体１１を備えている。掃除機本体１１には、集塵ホース１２の一端が着脱自在に接続され、その他端には手元操作管１３が設けられている。手元操作管１３には着脱自在に接続された延長管１４を介して吸込口体１５が着脱自在に接続されている。
【００１２】
掃除機本体１１は、本体ケース２０と、後部が本体ケース２０の上部にヒンジ結合されて上下方向に開閉可能になっている蓋体３０と、本体ケース２０に着脱自在に嵌合搭載されている集塵容器４０とを備えている。
【００１３】
本体ケース２０は、図２に示すように、分割可能な上ケース２１と下ケース２２とを有し、この上下ケース２１、２２は、互いに重ね合わせられている。ここで、上ケース２１の前部は上方に開放したほぼ円形の皿状に形成され、後部は上方に大きく膨出されている。また、下ケース２２は掃除機本体１１の底部をなし、下面側に後述する旋回輪５０が設けられている。
【００１４】
そして、上ケース２１の上方に大きく膨出した後部によって、掃除機本体１１の後部には電動送風機２３が内蔵された電動部２４が形成されている。この電動部２４の左右には一対の後輪２５（他方図示せず）が設けられている。また、電動部２４の下側には複数の充電池２６ａを有するバッテリパック２６が配設されている。
【００１５】
上ケース２１の上面前部には吸気孔２７が形成され、この吸気孔２７から下方に延びた吸気風路２８が形成されている。さらに、吸気孔２７内にはフィルタ装置２７ａが着脱自在に嵌着されている。そして、電動部２４の側面には図示しない排気孔が形成され、この排気孔は電動送風機２３の排気口２３ａと連通している。
【００１６】
一方、上ケース２１の上方に開放した円形の皿状に形成された前部によって、図３に示すように、掃除機本体１１の前部に位置する容器搭載凹部６０が形成されている。容器搭載凹部６０は、電動部２４の前側下部から前方に突出するように設けられている。
【００１７】
そして、この容器搭載凹部６０の容器載置面６１は、平面形状に形成されて凹凸がない平坦面に形成されている。
【００１８】
また、容器載置面６１の周縁部を取り囲む周壁６２の内径は、集塵容器４０の後述する容器本体４１の外径とほぼ等しい大きさに形成されている。そして、ここでは周壁６２に沿って集塵容器４０の下端部周縁に密着するような環状突部６２ａが設けられている。
【００１９】
さらに、この周壁６２の蓋体３０の後述する接続パイプ３２の下側に対向する位置には、容器載置面６１にまで達する切欠部６３が形成されている。この切欠部６３の幅は、集塵容器４０の後述する把持部４４の下端部とほぼ等しい大きさに形成されている。
【００２０】
そして、この容器搭載凹部６０に対応する位置の下ケース２２には、上方に突出する膨出部６４が形成されている。この膨出部６４が形成されることにより、膨出部６４の内側（下側）には、下方に開放した旋回輪配設室６５が形成されることとなる。
【００２１】
さらに、膨出部６４のほぼ中心には、回転軸６６を回転自在に保持する取付部６７が下方に突出して設けられている。
【００２２】
旋回輪５０は、上部が回転軸６６に保持されると共に旋回輪配設室６５の内側に位置する旋回輪保持部材５１と、旋回輪保持部材５１に回転自在に保持されると共に旋回輪配設室６５から周面の少なくとも一部が突出して位置する車輪５２とを有している。
【００２３】
旋回輪保持部材５１は回転軸６６によって水平方向回動自在に取り付けられている。そして、旋回輪保持部材５１の回動半径を確保するために下方に開放された旋回輪配設室６５内に旋回輪５０が配設されることとなる。
【００２４】
集塵容器４０は、図２に示すように、上下端が開口した筒状に形成されると共に、塵埃を収容する容器本体４１と、この容器本体４１の上部開口に着脱自在に設けられて上部開口を覆うフィルタ部材４２と、容器本体４１内に空気を吸気する吸気部４３と、容器本体４１の側面（図２において左側）に設けられた把持部４４と、容器本体４１の下部開口を開閉自在に閉塞する底蓋４５等とを有している。
【００２５】
吸気部４３には、蓋体３０の後述する連通口３３の後部３３ａに接続される接続開口４３ａと、接続開口４３ａから下方に向かって延在された案内板４３ｂとが設けられている。
【００２６】
把持部４４の内側には、底蓋４５を開閉するための開閉機構４６が設けられている。この開閉機構４６は、把持部４４の内側に沿って移動可能なロック解除部材４６ａと、ロック解除部材４６ａに当接して上方に付勢させている第１バネ４６ｂと、底蓋４５の後述する係止片４５ａと係合して底蓋４５を閉状態に保持させている係止部材４６ｃと、係止部材４５ｃに当接して回動軸４５ｄを中心に反時計方向に付勢させている第２バネ４６ｅとを備えている。
【００２７】
また、底蓋４５は、容器本体４１の下端部近傍に設けられたヒンジ部４７によって、下方に向かって回動自在に取り付けられている。なお、このヒンジ部４７は、把持部４４の下端部と対向する位置に設けられている。そして、把持部４４の下端部に対応する底蓋４５の周縁には係止部材４５と係合する係止片４５ａが形成されている。
【００２８】
蓋体３０は、平面視がほぼ楕円形に形成されたドーム上の天板３１を有し、この天板３１の前部には集塵ホース１２が着脱自在に接続される連通孔３３を有する接続パイプ３２が設けられている。また、３２ａは蓋体３０を閉めたときに作動するロック機構（図示せず）を解除する開閉ボタンである。
【００２９】
そして、この蓋体３０の内側には、集塵容器４０のフィルタ部材４２に開口する接続風路３４と、本体ケース２０の吸気孔２７に対向する後部風路３５と、接続風路３４と後部風路３５とを連通する吸気風路３６とが形成されている。
【００３０】
次に、この電気掃除機１０の作用について説明する。
【００３１】
この電気掃除機１０を使用するには、まず、蓋体３０を上方に回動させてから、空の集塵容器４０を容器搭載凹部６０上に載置させる。このとき、把持部４４の下端部を容器搭載凹部６０の周壁６２に設けられた切欠部６３に嵌合させることによって、容易に集塵容器４０の位置決めをすることができる。また、周壁６２によって容器本体４１の位置ズレを防止して、容器搭載凹部６０上に確実に嵌合搭載することができる。
【００３２】
そして、蓋体３０を下方に回動させて、この蓋体３０と容器搭載凹部６０との間に集塵容器４０を挟持させる。この状態で、手元操作管１３に設けられた図示しないスイッチを入れて電動送風機２３を駆動させる。なお、このとき、バッテリパック２６に蓄電された電力が使用される。
【００３３】
電動送風機２３が駆動されると、吸込口体１５から塵埃を含んだ空気が延長管１４、手元操作管１３、集塵ホース１２、接続パイプ３２及び連通口３３を介して吸気部４３に入る。そして、吸気部４３の案内板４３ｂにより螺旋状に案内されながら渦流となって容器本体４１の内側を伝い、容器本体４１の底部に至る。そして、渦流中の塵埃は遠心力により空気と分離されて、この分離された塵埃が容器本体４１の底部に蓄積される。特に塵埃が綿ゴミ等の比較的重量の軽いものであれば、順次流れてくる空気によって圧縮される。
【００３４】
また、容器本体４１の底部で塵埃と分離された空気は、容器本体４１の上部開口からフィルタ部材４２を経て接続風路３４内に流れ込む。なお、フィルタ部材４２を空気が通過する際に、容器本体４１内で分離し切れなかった細塵がこのフィルタ部材４２によって捕捉される。
【００３５】
そして、接続風路３４内の空気は吸気風路３６を通って後部風路３５に向かい、本体ケース２０に形成された吸気部２７を介して吸気風路２８に流れ込む。このとき、フィルタ装置２７ａによって空気中の微細塵が濾過される。さらに、この空気は、電動送風機２３内に吸気された後に、排気口２３ａから図示しない排気孔を介して大気中に排気されていく。
【００３６】
一方、集塵容器４０内に塵埃が一定量蓄積された場合には、まず、蓋体３０に設けられた開閉ボタン３２ａを押して図示しないロック機構を解除し、蓋体３０を上方に向かって回動させる。そして、把持部４４を持って集塵容器４０を持ち上げて容器搭載凹部６０から集塵容器４０を取り外す。そして、図５に示すように、把持部４４の内側に設けられた開閉機構４６を作動させて底蓋４５を開き、容器本体４１の下部開口から塵埃を廃棄する。
【００３７】
この開閉機構４６を作動させるには、まず、把持部４４の上端部から突出したロック解除部材４６ａの上端部を、第１バネ４６ｂに抗しながら下方に押し下げる。
【００３８】
ロック解除部材４６ａが下方に移動すると、このロック解除部材４６ａの下端部が係止部材４６ｃの上部に当接し、この係止部材４６ｃの上部を第２バネ４６ｅに抗しながら掃除機本体１１の後方に向かって移動させる。これにより、係止部材４６ｃは回動軸４６ｄを中心に時計回り方向（図５において）に回動する。
【００３９】
係止部材４６ｃが時計回り方向に回動すると、この係止部材４６ｃの下部に係止されていた底蓋４５の係止片４５ａが外れ、底蓋４５はヒンジ部４７を中心に反時計方向（図５において）に回動する。
【００４０】
これにより集塵容器４０の容器本体４１の下部開口が開放し、図５に示すように塵埃を容易に廃棄することができる。また、ロック解除部材４６ａの上端部を下方に押し下げるだけでよいので、手が汚れることもない。
【００４１】
さらに、この集塵容器４０を嵌合搭載する容器搭載凹部６０を掃除するには、上述のように集塵容器４０を外した後に、布等で容器搭載凹部６０上を払拭することで掃除を行う。このとき、容器搭載凹部６０の容器載置面６１が平面形状であるので払拭しやすく、容器搭載凹部６０に付着した塵埃を容易に除去することができる。
【００４２】
特に、上述のように底蓋４５を開いて塵埃を廃棄するような集塵容器４０の場合では、底蓋４５の周縁部等が汚れやすく、容器搭載凹部６０も汚れることが多い。しかし、容器搭載凹部６０の容器載置面６１が平面形状で払拭しやすいので、常に清潔にしておくことが簡単にできる。
【００４３】
そして、容器搭載凹部６０の周壁６２に設けられた切欠部６３が容器載置面６１にまで達しているので、切欠部６３から掃除機本体１１外に向かって、容器載置面６１に付着した塵埃を掃き出すこともできる。
【００４４】
また、この平面形状の容器搭載凹部６０を上ケース２１に設けたことにより、この容器搭載凹部６０の下側に位置する下ケース２２の形状に関わらず、容器搭載凹部６０の容器載置面６１を平面形状にすることができる。
【００４５】
このため、上述のように、下ケース２２に膨出部６４を形成し、この膨出部６４の内側（下側）に形成される旋回輪配設室６５に旋回輪５０を配設すると共に、この膨出部６４の上方に容器搭載凹部６０を位置させることができる。
【００４６】
以上、この発明の実施の形態の一つを図面により詳述してきたが、具体的な構成は上述の実施の形態に限らず、この発明の要旨を逸脱しない範囲の設計の変更等があってもこの発明に含まれる。
【００４７】
例えば、容器搭載凹部６０の容器載置面６１を、マイナスイオンを発生させるイオン発生シートで覆ってもよい。これにより、容器搭載凹部６０に集塵容器４０を嵌合搭載した際に、集塵容器４０と容器搭載凹部６０との間にイオン発生シートが介装されて、容器搭載凹部６０に塵埃が付着することを防止できる。
【００４８】
さらに、このイオン発生シートを着脱自在に設けた場合であれば、イオン発生シートを取り替えるだけで容器搭載凹部６０の掃除をすることができる。
【００４９】
なお、容器搭載凹部６０を覆うのはイオン発生シートに限らず、一般的なビニールシートや布等であってもよい。
【００５０】
【発明の効果】
この発明によれば、集塵容器が嵌合搭載される容器搭載凹部にを容易に掃除することができる電気掃除機を提供することができる。
【図面の簡単な説明】
【図１】この発明にかかる電気掃除機の全体斜視図である。
【図２】この発明の電気掃除機にかかる掃除機本体の断面図である。
【図３】この発明の電気掃除機にかかる本体ケース及び蓋体の斜視図である。
【図４】この発明の電気掃除機にかかる集塵容器の底蓋が閉まった状態の断面図である。
【図５】この発明の電気掃除機にかかる集塵容器の底蓋が開いた状態の断面図である。
【図６】（ａ）従来の電気掃除機の断面図である。
（ｂ）従来の電気掃除機の裏面側の要部を示す斜視図である。
【符号の説明】
１０　　　　電気掃除機
１１　　　　掃除機本体
２１　　　　上ケース
２２　　　　下ケース
２３　　　　電動送風機
４０　　　　集塵容器
６０　　　　容器搭載凹部
６１　　　　容器載置面
【図１】
2004049801.tif 000003
【図２】
2004049801.tif 000004
【図３】
2004049801.tif 000005
【図４】
2004049801.tif 000006
【図５】
2004049801.tif 000007
【図６】
2004049801.tif 000008